(57)【特許請求の範囲】
【請求項１】
第１ＳＤＨ伝送装置と、第２ＳＤＨ伝送装置と、第３ＳＤＨ伝送装置と、前記第１ＳＤＨ伝送装置、前記第２ＳＤＨ伝送装置および前記第３ＳＤＨ伝送装置を制御する制御装置とを備えるＳＤＨ伝送システムにおいて、
前記第１ＳＤＨ伝送装置は、前記第１ＳＤＨ伝送装置と前記第２ＳＤＨ伝送装置および前記第３ＳＤＨ伝送装置との間で回線切替のための制御信号の送受信を行なうための第１収容変更モードに設定可能に構成され、
前記第２ＳＤＨ伝送装置は、前記第１ＳＤＨ伝送装置と前記第２ＳＤＨ伝送装置との間で回線切替のための制御信号の送受信を行なうための第２収容変更モードに設定可能に構成され、
前記第３ＳＤＨ伝送装置は、前記第１ＳＤＨ伝送装置と前記第３ＳＤＨ伝送装置との間で回線切替のための制御信号の送受信を行なうための第３収容変更モードに設定可能に構成され、
前記第１ＳＤＨ伝送装置と前記第２ＳＤＨ伝送装置とが１＋１冗長構成で接続された状態から、前記第１ＳＤＨ伝送装置と前記第３ＳＤＨ伝送装置とが１＋１冗長構成で接続された状態に変更するとき、前記制御装置は、前記第１ＳＤＨ伝送装置を前記第１収容変更モードに設定し、前記第２ＳＤＨ伝送装置を前記第２収容変更モードに設定し、前記第３ＳＤＨ伝送装置を前記第３収容変更モードに設定し、
前記第１ＳＤＨ伝送装置が前記制御装置から収容変更開始指示を受けた場合、前記第１収容変更モードに設定された前記第１ＳＤＨ伝送装置と、前記第２収容変更モードに設定された前記第２ＳＤＨ伝送装置および前記第３収容変更モードに設定された前記第３ＳＤＨ伝送装置との間で制御信号の通信が行われ、複数の回線切替のための処理が行われることを特徴とするＳＤＨ伝送システム。
【請求項２】
前記回線切替のための処理は、０系から１系への回線切替処理および１系から０系への回線切替処理を含むことを特徴とする請求項１に記載のＳＤＨ伝送システム。
【請求項３】
前記制御信号は、ＳＤＨフレームのセクションオーバヘッドのＫ１／Ｋ２バイトを用いて伝送されることを特徴とする請求項１または２に記載のＳＤＨ伝送システム。
【請求項４】
前記第１ＳＤＨ伝送装置、前記第２ＳＤＨ伝送装置および前記第３ＳＤＨ伝送装置のそれぞれのＳＤＨ伝送装置は、前記ＳＤＨ伝送装置を前記第１収容変更モード、前記第２収容変更モードおよび前記第３収容変更モードいずれか一に設定するためのＳＤＨ切替処理プログラムを有する請求項１から３のいずれか一に記載のＳＤＨ伝送システム。
【請求項５】
前記第１収容変更モードに設定された前記第１ＳＤＨ伝送装置と前記第２収容変更モードに設定された前記第２ＳＤＨ伝送装置との間で送受信される前記制御信号は、前記第１ＳＤＨ伝送装置から前記第２ＳＤＨ伝送装置へ送信され、前記第２ＳＤＨ伝送装置に１系への切替を防止させるための第１コマンドおよび前記第２ＳＤＨ伝送装置が前記１系への切替を防止した後に前記第２ＳＤＨ伝送装置から前記第１ＳＤＨ伝送装置へ送信される第２コマンドのいずれかである請求項１から４のいずれか一に記載のＳＤＨ伝送システム。
【請求項６】
前記第１収容変更モードに設定された前記第１ＳＤＨ伝送装置と前記第３収容変更モードに設定された前記第３ＳＤＨ伝送装置との間で送受信される前記制御信号は、前記第１ＳＤＨ伝送装置から前記第３ＳＤＨ伝送装置へ送信され、前記第３ＳＤＨ伝送装置を０系から１系へ切替させるための第３コマンド、前記第３ＳＤＨ伝送装置が０系から１系へ切替えた後に前記第３ＳＤＨ伝送装置から前記第１ＳＤＨ伝送装置へ送信され、前記第２コマンドを受信した前記第１ＳＤＨ伝送装置を０系から１系へ切替えさせるための第４コマンド、および前記第１ＳＤＨ伝送装置が１系から０系に切替えた後に、前記第１ＳＤＨ伝送装置から前記第３ＳＤＨ伝送装置へ送信され、前記第３ＳＤＨ伝送装置を１系から０系に切替えさせるための第５コマンドのいずれかである請求項５に記載のＳＤＨ伝送システム。
【発明の詳細な説明】
【技術分野】
【０００１】
本発明は、ＳＤＨ（Synchronous Digital Hierarchy）伝送システムに関する。
【背景技術】
【０００２】
従来より、インターネットのバックボーン回線などに用いられる伝送方式として、ＳＤＨ伝送方式が知られている。ＳＤＨは、ＩＴＵ−Ｔ（International Telecommunication Union-Telecommunication standard sector）で標準化された規格である。
【０００３】
ＳＤＨ伝送システムでは、通常、伝送路における障害に対応するために、対向する２つのＳＤＨ伝送装置間を現用系と予備系の２系統の伝送路で冗長接続している（１＋１冗長構成）。現用系の伝送路に何らかの障害が発生した場合、予備系の伝送路に回線が切り替えられ、ＳＤＨフレームの伝送が行われる。ＳＤＨ伝送システムにおいて、現用系から予備系への回線切替は、ＳＤＨフレームのセクションオーバヘッド（ＳＯＨ：Section OverHead）に含まれるＫ１／Ｋ２バイトを用いて行われる（例えば、特許文献１参照）。
【先行技術文献】
【特許文献】
【０００４】
【特許文献１】特開平８−１４９１０１号公報
【発明の概要】
【発明が解決しようとする課題】
【０００５】
図１は、一般的なＳＤＨ伝送システムの構成を示す。図１に示すＳＤＨ伝送システム１００は、バックボーン回線を構成するＳＤＨ基幹伝送装置１０１および１０２と、サービス等を終端するＳＤＨ伝送端局装置１０３および１０４とを備える。図１に示すＳＤＨ伝送システム１００において、ＳＤＨ基幹伝送装置１０１および１０２は、伝送速度２．５Ｇの基幹伝送装置である。ＳＤＨ伝送システム１００において、ＳＤＨ基幹伝送装置１０１はＳＤＨ伝送端局装置１０３と接続され、ＳＤＨ基幹伝送装置１０２はＳＤＨ伝送端局装置１０４と接続されている。ＳＤＨ伝送端局装置１０３とＳＤＨ基幹伝送装置１０１の間、および、ＳＤＨ伝送端局装置１０４とＳＤＨ基幹伝送装置１０２の間は、伝送速度５０Ｍ、１５０Ｍ等の伝送路により冗長に接続されている（１＋１冗長構成）。
【０００６】
図１に示すようなＳＤＨ伝送システム１００においては、トラフィックが増えてより大容量の伝送路が必要になったり、ＳＤＨ基幹伝送装置１０１および１０２が老朽化してきたりすると、ＳＤＨ基幹伝送装置１０１および１０２を新しい装置に入れ替える作業（「収容変更作業」とも呼ばれる）が行われる。図１には、伝送速度２．５ＧのＳＤＨ基幹伝送装置１０１および１０２を、伝送速度１０ＧのＳＤＨ伝送端局装置１０５および１０６に入れ替える例が図示されている。
【０００７】
上記のような新しいＳＤＨ基幹伝送装置への入れ替えの際には、提供中のサービスへの影響（回線瞬断や回線断）を最小限に抑えることが望ましい。上述したように、ＳＤＨ伝送端局装置とＳＤＨ基幹伝送装置との間の伝送路は１＋１冗長構成となっているが、このように冗長接続された装置の収容変更作業は非常に複雑な作業手順が必要となる。ＳＤＨにおいて、１＋１冗長構成の切替方式（対向装置との間のシーケンス）は標準化されているが、収容変更に対応した機能は規定されていない。収容変更作業の手順が複雑であることにより、作業時間が長くなって作業費用が増大するとともに、作業ミスが生じやすくなるおそれがある。
【０００８】
本発明はこうした状況に鑑みてなされたものであり、その目的は、ＳＤＨ伝送システムにおいて、収容変更作業を簡略化できる技術を提供することにある。
【課題を解決するための手段】
【０００９】
上記課題を解決するために、本発明のある態様のＳＤＨ伝送システムは、第１ＳＤＨ伝送装置と、第２ＳＤＨ伝送装置と、第３ＳＤＨ伝送装置と、第１ＳＤＨ伝送装置、第２ＳＤＨ伝送装置および第３ＳＤＨ伝送装置を制御する制御装置とを備える。第１ＳＤＨ伝送装置と第２ＳＤＨ伝送装置とが１＋１冗長構成で接続された状態から、第１ＳＤＨ伝送装置と第２ＳＤＨ伝送装置とが１＋１冗長構成で接続された状態に変更するとき、制御装置は、第１ＳＤＨ伝送装置を第１収容変更モードに設定し、第２ＳＤＨ伝送装置を第２収容変更モードに設定し、第３ＳＤＨ伝送装置を第３収容変更モードに設定する。第１ＳＤＨ伝送装置が制御装置から収容変更開始指示を受けた場合、第１ＳＤＨ伝送装置と、第２ＳＤＨ伝送装置および第３ＳＤＨ伝送装置との間で制御信号の通信が行われ、複数の回線切替のための処理が行われる。
【００１０】
回線切替のための処理は、０系から１系への回線切替処理および１系から０系への回線切替処理を含んでもよい。
【００１１】
制御信号は、ＳＤＨフレームのセクションオーバヘッドのＫ１／Ｋ２バイトを用いて伝送されてもよい。
【００１２】
なお、以上の構成要素の任意の組合せ、本発明の表現を装置、方法、システム、プログラム、プログラムを格納した記録媒体などの間で変換したものもまた、本発明の態様として有効である。
【発明の効果】
【００１３】
本発明によれば、ＳＤＨ伝送システムにおいて、収容変更作業を簡略化できる。
【図面の簡単な説明】
【００１４】
【図１】一般的なＳＤＨ伝送システムの構成を示す図である。
【図２】本発明の実施形態に係るＳＤＨ伝送システムを説明するための図である。
【図３】ＳＤＨにおいて標準化されているＫ１／Ｋ２バイトのビット割付について説明するための図である。
【図４】従来の収容変更作業の手順を説明するための図である。
【図５】本実施形態に係るＳＤＨ伝送装置の構成を説明するための図である。
【図６】本発明の実施形態に係る収容変更作業を説明するためのフローチャートである。
【図７】第１収容変更モードに設定された第１ＳＤＨ伝送装置の動作を説明するためのフローチャートである。
【図８】第２収容変更モードに設定された第２ＳＤＨ伝送装置の動作を説明するためのフローチャートである。
【図９】第３収容変更モードに設定された第３ＳＤＨ伝送装置の動作を説明するためのフローチャートである。
【図１０】本実施形態に係るＳＤＨ伝送システムにおける収容変更作業の手順を説明するための図である。
【発明を実施するための形態】
【００１５】
以下、図面を参照しつつ、本発明の実施形態について説明する。
【００１６】
図２は、本発明の実施形態に係るＳＤＨ伝送システムを説明するための図である。図２に示すように、ＳＤＨ伝送システム１０においては、第１ＳＤＨ伝送装置１１と、第２ＳＤＨ伝送装置１２とが、０系伝送路を構成する０系光ファイバ１４および１系伝送路を構成する１系光ファイバ１５により冗長に接続されている。ここで、伝送速度２．５Ｇの第２ＳＤＨ伝送装置１２を伝送速度１０Ｇの第３ＳＤＨ伝送装置１３に入れ替える収容変更について考える。
【００１７】
まず、本発明の実施形態に係る収容変更作業を説明する前に、従来の収容変更作業について説明する。収容変更作業は、従来、標準化されたＳＤＨの１＋１冗長構成の切替方式を利用して行われている。かかる１＋１冗長構成の切替は、ＳＤＨフレームのセクションオーバヘッド（ＳＯＨ）におけるＫ１／Ｋ２バイトを用いて行われる。収容変更作業において、Ｋ１／Ｋ２バイトは、制御装置（ＯＰＳ）１６により第１ＳＤＨ伝送装置１１、第２ＳＤＨ伝送装置１２、第３ＳＤＨ伝送装置１３に与えられる。
【００１８】
図３は、ＳＤＨにおいて標準化されているＫ１／Ｋ２バイトのビット割付について説明するための図である。図３に示されているように、Ｋ１／Ｋ２バイトはそれぞれ、ｂ１〜ｂ８のビット列から構成されている。Ｋ１バイトにおいて、ｂ１〜ｂ４までのビット列は切替要求の種類を示し、ｂ５〜ｂ８までのビット列は切替要求を出した現用伝送路の番号を示している。Ｋ２バイトにおいて、ｂ１〜ｂ４までのビット列は現用伝送路として使用している伝送路の番号を示し、ｂ５は切替構成の設定を示し、ｂ６〜ｂ８までのビット列は伝送路の状態を示している。
【００１９】
ＳＤＨにおいて標準化されているＫ１バイトのｂ１〜ｂ４の定義について説明する。Ｋ１バイトのｂ１〜ｂ４が「１１１０」の場合は、強制切替（ＦＳ：Forced Switch）を表わしている。その内容は、予備系が正常の場合に、外部制御により現用系のトラヒックを予備系に切替えることである。Ｋ１バイトのｂ１〜ｂ４が「１１００」の場合は、自動切替−伝送路故障（ＳＦ：Siganal Fail）を表わしている。その内容は、予備系が正常の場合に、光入力断（ＬＯＳ：Loss of Signal）等を検出すると現用系のトラヒックを予備系に自動的に切替えることである。Ｋ１バイトのｂ１〜ｂ４が「１０１０」の場合は、自動切替−品質劣化（ＳＤ：Signal Degrade）を表わしている。その内容は、予備系が正常の場合に、誤り率劣化を検出すると現用系のトラヒックを予備系に自動的に切替えることである。Ｋ１バイトのｂ１〜ｂ４が「０１１０」の場合は、回復待機（ＷＲ：Wait to Restore）を表わしている。その内容は、故障回復後、回復待機保護時間中に伝送路名称変更を行わないことである。Ｋ１バイトのｂ１〜ｂ４が「００１０」の場合は、切替応答（ＲＲ：Reverse Request）を表わしている。その内容は、対向装置側からの切替要求を受けて、対向する装置に切替を実行したことを通知することである。Ｋ１バイトのｂ１〜ｂ４が「００００」の場合は、切替なし（ＮＢ：No Bridge Required）を表わしている。その内容は、現用系から切替要求がないことである。
【００２０】
次に、ＳＤＨにおいて標準化されているＫ１バイトのｂ５〜ｂ８の定義について説明する。Ｋ１バイトのｂ５〜ｂ８が「００１０」の場合は、１系が切替要求を行っていることを表わしている。Ｋ１バイトのｂ５〜ｂ８が「０００１」の場合は、０系が切替要求を行っていることを表わしている。Ｋ１バイトのｂ５〜ｂ８が「００００」の場合は、切替要求が行なわれていない（すなわち、ＮＢである）ことを表わしている。
【００２１】
次に、ＳＤＨにおいて標準化されているＫ２バイトのｂ１〜ｂ４の定義について説明する。Ｋ２バイトのｂ１〜ｂ４が「００１０」の場合は１系が現用系（１系現用）であることを示し、「０００１」の場合は０系が現用系（０系現用）であることを示している。
【００２２】
次に、ＳＤＨにおいて標準化されているＫ２バイトのｂ５の定義について説明する。Ｋ２バイトのｂ５が「０」の場合は、１＋１冗長切替であることを表わしている。
【００２３】
次に、ＳＤＨにおいて標準化されているＫ２バイトのｂ６〜ｂ８の定義について説明する。Ｋ２バイトのｂ６〜ｂ８が「１１１」の場合は伝送路の状態がＭＳ−ＡＩＳ（Multiplex Section Alarm Indication Signal）であることを示している。Ｋ２バイトのｂ６〜ｂ８が「１１０」の場合は伝送路の状態がＭＳ−ＲＤＩ：Multiplex Section Remote Defect Indication）であることを示している。Ｋ２バイトのｂ５〜ｂ８が「０００」の場合は伝送路が正常状態であることを示している。
【００２４】
図４は、従来の収容変更作業の手順を説明するための図である。初期状態として、第１ＳＤＨ伝送装置１１と第２ＳＤＨ伝送装置１２が０系光ファイバ１４と１系光ファイバ１５により冗長接続されており、０系光ファイバ１４が現用系とされているとする。第１ＳＤＨ伝送装置１１、第２ＳＤＨ伝送装置１２、第３ＳＤＨ伝送装置１３の動作制御は、制御装置（ＯＰＳ）からＫ１／Ｋ２バイトを含むＳＤＨフレームを送信することにより行われる。
【００２５】
まず、手順（１）として、第３ＳＤＨ伝送装置１３において、低速側光ファイバの折り返しを実施する。この作業は作業者が行う。
【００２６】
次に、手順（２）として、作業者は制御装置１６を操作して、第３ＳＤＨ伝送装置１３に対して１系への強制切替制御（ＦＳ）を行う。
【００２７】
次に、手順（３）として、作業者は制御装置１６を操作して、第１ＳＤＨ伝送装置１１および第２ＳＤＨ伝送装置１２に対してＬｏｃｋＯｕｔ制御を行う。これにより、第１ＳＤＨ伝送装置１１および第２ＳＤＨ伝送装置１２における自動的な系の切替が防止される。
【００２８】
次に、手順（４）として、１系光ファイバ１５の接続を第２ＳＤＨ伝送装置１２から第３ＳＤＨ伝送装置１３に変更する。この作業は作業者が行う。
【００２９】
次に、手順（５）として、作業者は制御装置１６を操作して、第１ＳＤＨ伝送装置１１に対してＬｏｃｋＯｕｔ解除制御を行う。これにより、第１ＳＤＨ伝送装置１１は０系から１系に切り替えられる。
【００３０】
次に、手順（６）として、作業者は制御装置１６を操作して、第１ＳＤＨ伝送装置１１に対してＬｏｃｋＯｕｔ制御を行う。これにより第１ＳＤＨ伝送装置１１における自動的な系の切替が防止される。
【００３１】
次に、手順（７）として、０系光ファイバ１４の接続を第２ＳＤＨ伝送装置１２から第３ＳＤＨ伝送装置１３に変更する。この作業は作業者が行う。
【００３２】
次に、手順（８）として、作業者は制御装置１６を操作して、第１ＳＤＨ伝送装置１１に対してＬｏｃｋＯｕｔ解除制御を行う。また、第３ＳＤＨ伝送装置１３に対して強制切替の解除制御を行う。
【００３３】
最後に、手順（９）として、作業者は制御装置１６を操作して、第１ＳＤＨ伝送装置１１に対して、０系への強制切替制御を行う。これにより、第１ＳＤＨ伝送装置１１から第３ＳＤＨ伝送装置１３に対して０系への強制切替を指示するＫ１／Ｋ２バイトを含むＳＤＨフレームが送信され、第３ＳＤＨ伝送装置１３が０系に強制切替される。
【００３４】
以上、ＳＤＨにおいて標準化されているＫ１／Ｋ２バイトを用いた収容変更作業について説明した。このように、従来の収容変更作業は、作業者による光ファイバの接続変更作業と、制御装置１６の操作とが複雑に入り組んでおり、多大な時間がかかるとともに、作業ミスの発生が懸念される。
【００３５】
そこで、本実施形態に係るＳＤＨ伝送システム１０においては、第１ＳＤＨ伝送装置１１、第２ＳＤＨ伝送装置１２、第３ＳＤＨ伝送装置１３の各装置に収容変更に対応した機能（収容変更モード）を盛り込んでおく。収容変更作業前に、第１ＳＤＨ伝送装置１１、２、第３ＳＤＨ伝送装置１３に対し、収容変更モードを設定する。これにより、上述した従来の収容変更作業における制御装置（ＯＰＳ）の操作の作業は装置が自動的に実行するようになり、作業者の作業を大幅に減らすことができる。また、作業者の作業が減ることにより、作業ミスの発生を抑制することができる。
【００３６】
図５は、本実施形態に係るＳＤＨ伝送装置１８の構成を説明するための図である。ＳＤＨ伝送装置１８は、図２における第１ＳＤＨ伝送装置１１、第２ＳＤＨ伝送装置１２、第３ＳＤＨ伝送装置１３に対応する。ここでは、ＳＤＨ伝送装置１８の有する機能ブロックのうち、収容変更に関連する機能ブロックのみ図示している。本明細書のブロック図において示される各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００３７】
図５に示すように、ＳＤＨ伝送装置１８は、０系インタフェース（ＩＦ）カード２１と、１系インタフェース（ＩＦ）カード２２と、０系インタフェースカード２１および１系インタフェースカード２２を切替制御するＣＰＵ系パッケージ２０とを備える。０系インタフェースカード２１、１系インタフェースカード２２は、対向するＳＤＨ伝送装置のＩＦカードと光ファイバを用いて接続される。
【００３８】
図５に示すように、ＣＰＵ系パッケージ２０は、ＳＤＨ切替処理プログラムを有している。このＳＤＨ切替処理プログラムは、通常の切替機能を実行するプログラムと、第１収容変更モード、第２収容変更モード、および第３収容変更モードのうち１つを設定するプログラムとを有している。
【００３９】
通常の切替機能とは、上述したようなＳＤＨにおいて標準化されている切替機能である。一方、第１収容変更モード、第２収容変更モード、および第３収容変更モードのうち１つを設定するプログラムは、本実施形態に係るＳＤＨ伝送システム１０で新たに組み込まれたプログラムである。収容変更作業を開始する際、第１ＳＤＨ伝送装置１１は、制御装置（ＯＰＳ）１６からの指示により、第１〜第３収容変更モードのうちいずれかのモードに設定される。第１収容変更モードは、図２において第１ＳＤＨ伝送装置１１の位置にあるＳＤＨ伝送装置に設定するモードである。また、第２収容変更モードは、図２において第２ＳＤＨ伝送装置１２の位置にあるＳＤＨ伝送装置、すなわち、収容変更により接続を外されるＳＤＨ伝送装置に設定するモードである。また、第３収容変更モードは、図２において第３ＳＤＨ伝送装置１３の位置にあるＳＤＨ伝送装置、すなわち、収容変更により新たに接続されるＳＤＨ伝送装置に設定するモードである。
【００４０】
図６は、本発明の実施形態に係る収容変更作業を説明するためのフローチャートである。ＳＤＨ伝送装置１８は、制御装置（ＯＰＳ）１６からの切替指示により切替動作を開始する。制御装置１６から切替指示を受けた場合、制御装置１６は、通常モードでの切替なのか、収容変更モードを用いた切替なのか判定する（Ｓ１０）。制御装置１６からの指示が通常モードの場合、ＳＤＨ伝送装置１８のＣＰＵ系パッケージ２０は、既存の切替動作を行う（Ｓ１２）。既存の切替動作とは、上述したＳＤＨにおいて標準化されているＫ１／Ｋ２バイトを切替機能を用いた収容切替動作である。
【００４１】
制御装置１６からの指示が収容変更モードを用いた切替指示である場合、ＳＤＨ伝送装置１８のＣＰＵ系パッケージ２０は、制御装置１６から通知されるモードの種類を判定する（Ｓ１１）。制御装置１６から第１収容変更モードを指示された場合、ＣＰＵ系パッケージ２０は、動作モードをＳＤＨ切替処理プログラムに含まれる第１収容変更モードに変更する（Ｓ１３）。制御装置１６から第２収容変更モードを指示された場合、ＣＰＵ系パッケージ２０は、動作モードをＳＤＨ切替処理プログラムに含まれる第２収容変更モードに変更する（Ｓ１４）。制御装置１６から第３収容変更モードを指示された場合、ＣＰＵ系パッケージ２０は、動作モードをＳＤＨ切替処理プログラムに含まれる第３収容変更モードに変更する（Ｓ１５）。第１〜第３収容変更モードで動作する場合、ＳＤＨフレームのＫ１／Ｋ２バイトを用いて制御装置１６とＳＤＨ伝送装置１８との間の通信が行われる。すなわち、第１〜第３収容変更モードで動作する場合、ＳＤＨフレームのＫ１／Ｋ２バイトの使用方法が、標準化された通常の使用方法から切り替えられる。
【００４２】
図７は、第１収容変更モードに設定された第１ＳＤＨ伝送装置１１の動作を説明するためのフローチャートである。収容変更作業においては、図２に示す第１ＳＤＨ伝送装置１１、第２ＳＤＨ伝送装置１２、第３ＳＤＨ伝送装置１３をそれぞれ第１〜第３収容変更モードに設定した後、１系光ファイバ１５の接続先を第２ＳＤＨ伝送装置１２から第３ＳＤＨ伝送装置１３に変更する。この１系光ファイバ１５の接続変更は、作業者が行う。この時点において、第１ＳＤＨ伝送装置１１の０系インタフェースカードと第２ＳＤＨ伝送装置１２の０系インタフェースカードが０系光ファイバ１４により接続され、第１ＳＤＨ伝送装置１１の１系インタフェースカードと第３ＳＤＨ伝送装置１３の１系インタフェースカードが１系光ファイバ１５により接続されてた状態となっている。
【００４３】
第１収容変更モードに設定された第１ＳＤＨ伝送装置１１のＣＰＵ系パッケージは、制御装置（ＯＰＳ）１６から「収容変更ｓｔｅｐ１開始」のコマンドを受信したか否か判定する（Ｓ２０）。まだ受信していない場合、コマンドの受信を待つ（Ｓ２０のＮ）。コマンドを受信した場合（Ｓ２０のＹ）、Ｓ２１に進む。
【００４４】
次に第１ＳＤＨ伝送装置１１のＣＰＵ系パッケージは、第２収容変更モードに設定された第２ＳＤＨ伝送装置１２に「ｓｔｅｐ１  ｓｔａｒｔ」のコマンドを送信する（Ｓ２１）。
【００４５】
後述するように、第２収容変更モードに設定された第２ＳＤＨ伝送装置１２は、「ｓｔｅｐ１  ｓｔａｒｔ」のコマンドを受信すると、「ｓｔｅｐ１  ｏｋ」のコマンドを返す。第１ＳＤＨ伝送装置１１のＣＰＵ系パッケージは、第２ＳＤＨ伝送装置１２より「ｓｔｅｐ１  ｏｋ」のコマンドを受信したか否か判定し（Ｓ２２）、受信するまで待つ（Ｓ２２のＮ）。第２ＳＤＨ伝送装置１２から「ｓｔｅｐ１  ｏｋ」のコマンドを受信した場合（Ｓ２２のＹ）、Ｓ２３に進む。
【００４６】
Ｓ２３において、第１ＳＤＨ伝送装置１１のＣＰＵ系パッケージは、第３ＳＤＨ伝送装置１３に「ｓｔｅｐ１  ｓｔａｒｔ」のコマンドを送信する。
【００４７】
後述するように、第３ＳＤＨ伝送装置１３は、「ｓｔｅｐ１  ｓｔａｒｔ」のコマンドを受信すると、「ｓｔｅｐ１  ｏｋ」のコマンドを返す。第１ＳＤＨ伝送装置１１のＣＰＵ系パッケージは、第３ＳＤＨ伝送装置１３より「ｓｔｅｐ１  ｏｋ」のコマンドを受信したか否か判定し（Ｓ２４）、受信するまで待つ（Ｓ２４のＮ）。第３ＳＤＨ伝送装置１３から「ｓｔｅｐ１  ｏｋ」のコマンドを受信した場合（Ｓ２４のＹ）、Ｓ２５に進む。
【００４８】
第２ＳＤＨ伝送装置１２および第３ＳＤＨ伝送装置１３から「ｓｔｅｐ１  ｏｋ」のコマンドを受信すると、第１ＳＤＨ伝送装置１１は、０系から１系に回線を切り替える（Ｓ２５）。
【００４９】
ここで、作業者により、０系光ファイバ１４の接続先が第２ＳＤＨ伝送装置１２から第３ＳＤＨ伝送装置１３に変更される。この時点において、第１ＳＤＨ伝送装置１１の０系インタフェースカードと第３ＳＤＨ伝送装置１３の０系インタフェースカードが０系光ファイバ１４により接続され、第１ＳＤＨ伝送装置１１の１系インタフェースカードと第３ＳＤＨ伝送装置１３の１系インタフェースカードが１系光ファイバ１５により接続されてた状態となっている。
【００５０】
その後、第１ＳＤＨ伝送装置１１のＣＰＵ系パッケージは、制御装置（ＯＰＳ）１６から「収容変更ｓｔｅｐ２開始」のコマンドを受信したか否か判定し（Ｓ２６）、受信するまで待機する（Ｓ２６のＮ）。制御装置１６から「収容変更ｓｔｅｐ２開始」のコマンドを受信した場合（Ｓ２６のＹ）、Ｓ２７に進む。
【００５１】
Ｓ２７において、第１ＳＤＨ伝送装置１１のＣＰＵ系パッケージは、第３ＳＤＨ伝送装置１３へ「ｓｔｅｐ２  ｓｔａｒｔ」コマンドを送信する。
【００５２】
後述するように、第３ＳＤＨ伝送装置１３は、「ｓｔｅｐ２  ｓｔａｒｔ」のコマンドを受信すると、「ｓｔｅｐ２  ｏｋ」のコマンドを返す。第１ＳＤＨ伝送装置１１のＣＰＵ系パッケージは、第３ＳＤＨ伝送装置１３より「ｓｔｅｐ２  ｏｋ」のコマンドを受信したか否か判定し（Ｓ２８）、受信するまで待つ（Ｓ２８のＮ）。
【００５３】
第３ＳＤＨ伝送装置１３から「ｓｔｅｐ２  ｏｋ」のコマンドを受信した場合（Ｓ２８のＹ）、第１ＳＤＨ伝送装置１１は、１系から０系に回線を切り替える（Ｓ２９）。以上で第１ＳＤＨ伝送装置１１の収容変更動作は終了する。
【００５４】
図８は、第２収容変更モードに設定された第２ＳＤＨ伝送装置１２の動作を説明するためのフローチャートである。第２収容変更モードに設定された第２ＳＤＨ伝送装置１２のＣＰＵ系パッケージは、まず、第１ＳＤＨ伝送装置１１から「ｓｔｅｐ１  ｓｔａｒｔ」のコマンドを受信したか否か判定し（Ｓ３０）、受信するまで待つ（Ｓ３０のＮ）。なお、この時点において、第２ＳＤＨ伝送装置１２の０系インタフェースカードと第１ＳＤＨ伝送装置１１の０系インタフェースカードが０系光ファイバ１４により接続され、第２ＳＤＨ伝送装置１２の１系インタフェースカードには光ファイバが接続されていない状態となっている。
【００５５】
第１ＳＤＨ伝送装置１１から「ｓｔｅｐ１  ｓｔａｒｔ」のコマンドを受信した場合（Ｓ３０のＹ）、第２ＳＤＨ伝送装置１２のＣＰＵ系パッケージは、１系インタフェースカードをＬｏｃｋＯｕｔ状態に制御する（Ｓ３１）。
【００５６】
その後、第２ＳＤＨ伝送装置１２のＣＰＵ系パッケージは、第１ＳＤＨ伝送装置１１に「ｓｔｅｐ１  ｏｋ」のコマンドを送信する（Ｓ３２）。以上で第２ＳＤＨ伝送装置１２の収容変更動作は終了する。
【００５７】
図９は、第３収容変更モードに設定された第３ＳＤＨ伝送装置１３の動作を説明するためのフローチャートである。第３収容変更モードに設定された第３ＳＤＨ伝送装置１３のＣＰＵ系パッケージは、まず、第１ＳＤＨ伝送装置１１から「ｓｔｅｐ１  ｓｔａｒｔ」のコマンドを受信したか否か判定し（Ｓ４０）、受信するまで待つ（Ｓ４０のＮ）。なお、この時点において、第３ＳＤＨ伝送装置１３の１系インタフェースカードと第１ＳＤＨ伝送装置１１の１系インタフェースカードが１系光ファイバ１５により接続され、第３ＳＤＨ伝送装置１３の０系インタフェースカードには光ファイバが接続されていない状態となっている。
【００５８】
第１ＳＤＨ伝送装置１１から「ｓｔｅｐ１  ｓｔａｒｔ」のコマンドを受信した場合（Ｓ４０のＹ）、第３ＳＤＨ伝送装置１３のＣＰＵ系パッケージは、０系から１系に回線を切り替える（Ｓ４１）。その後、第３ＳＤＨ伝送装置１３のＣＰＵ系パッケージは、第１ＳＤＨ伝送装置１１に「ｓｔｅｐ１  ｏｋ」のコマンドを送信する。
【００５９】
図７の第１ＳＤＨ伝送装置１１の動作フローの説明で述べたように、第３ＳＤＨ伝送装置１３から第１ＳＤＨ伝送装置１１に「ｓｔｅｐ１  ｏｋ」のコマンドを送信されると、作業者により、０系光ファイバ１４の接続先が第２ＳＤＨ伝送装置１２から第３ＳＤＨ伝送装置１３に変更される。この時点において、第３ＳＤＨ伝送装置１３の０系インタフェースカードと第１ＳＤＨ伝送装置１１の０系インタフェースカードが０系光ファイバ１４により接続され、第３ＳＤＨ伝送装置１３の１系インタフェースカードと第１ＳＤＨ伝送装置１１の１系インタフェースカードが１系光ファイバ１５により接続されてた状態となっている。
【００６０】
その後、第３ＳＤＨ伝送装置１３のＣＰＵ系パッケージは、第１ＳＤＨ伝送装置１１から「ｓｔｅｐ２  ｓｔａｒｔ」のコマンドを受信したか否か判定し（Ｓ４３）、受信するまで待つ（Ｓ４３のＮ）。
【００６１】
第１ＳＤＨ伝送装置１１から「ｓｔｅｐ２  ｓｔａｒｔ」のコマンドを受信した場合（Ｓ４３のＹ）、第３ＳＤＨ伝送装置１３のＣＰＵ系パッケージは、１系から０系に回線を切り替える（Ｓ４４）。
【００６２】
その後、第３ＳＤＨ伝送装置１３のＣＰＵ系パッケージは、第１ＳＤＨ伝送装置１１に「ｓｔｅｐ２  ｏｋ」のコマンドを送信する（Ｓ４５）。以上で第３ＳＤＨ伝送装置１３の収容変更動作は終了する。
【００６３】
図１０は、本実施形態に係るＳＤＨ伝送システムにおける収容変更作業の手順を説明するための図である。初期状態として、第１ＳＤＨ伝送装置１１と第２ＳＤＨ伝送装置１２が０系光ファイバ１４と１系光ファイバ１５により冗長接続されており、０系光ファイバ１４が現用系とされているとする。
【００６４】
まず、手順（１）として、作業者は制御装置１６を操作して、第１ＳＤＨ伝送装置１１を第１収容変更モードに設定し、第２ＳＤＨ伝送装置１２を第２収容変更モードに設定し、第３ＳＤＨ伝送装置１３を第３収容変更モードに設定する。
【００６５】
次に、手順（２）として、作業者は、１系光ファイバ１５の接続を第２ＳＤＨ伝送装置１２から第３ＳＤＨ伝送装置１３に変更する。この時点において、第１ＳＤＨ伝送装置１１の０系インタフェースカードと第２ＳＤＨ伝送装置１２の０系インタフェースカードが０系光ファイバ１４により接続され、第１ＳＤＨ伝送装置１１の１系インタフェースカードと第３ＳＤＨ伝送装置１３の１系インタフェースカードが１系光ファイバ１５により接続されてた状態となっている。
【００６６】
次に、手順（３）として、作業者は制御装置１６を操作して、第１ＳＤＨ伝送装置１１に「収容変更ｓｔｅｐ１開始」のコマンドを送る。「収容変更ｓｔｅｐ１開始」のコマンドを受信した第１ＳＤＨ伝送装置１１は、図７に示すフローチャートのＳ２１〜Ｓ２５までの処理を作業者の操作を必要とすることなく自動的に実行する。すなわち、まず第２ＳＤＨ伝送装置１２および第３ＳＤＨ伝送装置１３に「ｓｔｅｐ１  ｓｔａｒｔ」のコマンドを送る。第１ＳＤＨ伝送装置１１から「ｓｔｅｐ１  ｓｔａｒｔ」を受けた第２ＳＤＨ伝送装置１２は、図８のフローチャートのＳ３１に示すように１系インタフェースカードをＬｏｃｋ  Ｏｕｔ状態に制御する。また、第１ＳＤＨ伝送装置１１から「ｓｔｅｐ１  ｓｔａｒｔ」を受けた第３ＳＤＨ伝送装置１３は、図９のフローチャートのＳ４１に示すように、０系から１系へ回線を切り替える。それぞれの動作を完了した第２ＳＤＨ伝送装置１２および第３ＳＤＨ伝送装置１３は、第１ＳＤＨ伝送装置１１に「ｓｔｅｐ１  ｏｋ」のコマンドを送信する。この「ｓｔｅｐ１  ｏｋ」のコマンドを受けた第１ＳＤＨ伝送装置１１は、図７のフローチャートのＳ２５に示すように、０系から１系に回線を切り替える。
【００６７】
次に、手順（４）として、作業者は、０系光ファイバ１４の接続を第２ＳＤＨ伝送装置１２から第３ＳＤＨ伝送装置１３に変更する。この時点において、第１ＳＤＨ伝送装置１１の０系インタフェースカードと第３ＳＤＨ伝送装置１３の０系インタフェースカードが０系光ファイバ１４により接続され、第１ＳＤＨ伝送装置１１の１系インタフェースカードと第３ＳＤＨ伝送装置１３の１系インタフェースカードが１系光ファイバ１５により接続されてた状態となっている。
【００６８】
次に手順（５）として、作業者は制御装置１６を操作して、第１ＳＤＨ伝送装置１１に「収容変更ｓｔｅｐ２開始」のコマンドを送る。「収容変更ｓｔｅｐ２開始」のコマンドを受信した第１ＳＤＨ伝送装置１１は、図７に示すフローチャートのＳ２７〜Ｓ２８までの処理を作業者の操作を必要とすることなく自動的に実行する。すなわち、まず第３ＳＤＨ伝送装置１３に「ｓｔｅｐ２  ｓｔａｒｔ」のコマンドを送る。第１ＳＤＨ伝送装置１１から「ｓｔｅｐ２  ｓｔａｒｔ」を受けた第３ＳＤＨ伝送装置１３は、図９のフローチャートのＳ４４に示すように、１系から０系へ回線を切り替える。１系から０系への切替を完了した第３ＳＤＨ伝送装置１３は、第１ＳＤＨ伝送装置１１に「ｓｔｅｐ２  ｏｋ」のコマンドを送信する。この「ｓｔｅｐ２  ｏｋ」のコマンドを受けた第１ＳＤＨ伝送装置１１は、図７のフローチャートのＳ２９に示すように、１系から０系に回線を切り替えられ、収容変更作業が完了する。
【００６９】
以上説明した手順（３）、（５）のように、本実施形態に係る収容変更モードを用いた収容変更作業においては、制御装置１６から「収容変更ｓｔｅｐ１開始」、「収容変更ｓｔｅｐ２開始」のコマンドを第１ＳＤＨ伝送装置１１に送るだけで、複数の処理が第１ＳＤＨ伝送装置１１、第２ＳＤＨ伝送装置１２および第３ＳＤＨ伝送装置１３において自動的に行われる。これにより、収容変更作業の手順が簡略化され、作業時間および作業費用を低減することができる。また、収容変更作業の手順が簡略化されることにより、作業ミスの発生を抑制することができる。
【００７０】
以上、本発明を実施の形態をもとに説明した。この実施の形態は例示であり、それらの各構成要素や各処理プロセスの組合せによりいろいろな変形例が可能なこと、またそうした変形例も本発明の範囲にあることは当業者に理解されるところである。
【符号の説明】
【００７１】
１０  ＳＤＨ伝送システム、  １１  第１ＳＤＨ伝送装置、  １２  第２ＳＤＨ伝送装置、  １３  第３ＳＤＨ伝送装置、  １４  ０系光ファイバ、  １５  １系光ファイバ、  １６  制御装置、  １８  ＳＤＨ伝送装置、  ２０  ＣＰＵ系パッケージ、  ２１  ０系インタフェースカード、  ２２  １系インタフェースカード。
【図１】
0005929348.tif 000002
【図２】
0005929348.tif 000003
【図３】
0005929348.tif 000004
【図４】
0005929348.tif 000005
【図５】
0005929348.tif 000006
【図６】
0005929348.tif 000007
【図７】
0005929348.tif 000008
【図８】
0005929348.tif 000009
【図９】
0005929348.tif 000010
【図１０】
0005929348.tif 000011